(57)【要約】【課題】  重量床衝撃音で問題となる低い周波数での空気振動を吸収するのに特に好適な床構造を提供する。【解決手段】  床構造Ａ’は、少なくとも１つの中空部Ｂを設けるとともに、この中空部Ｂを天井裏空間Ｄと連通させるための開口部Ｃを設けている。この結果、中空部Ｂを枝管型共鳴器として作用させることができ、天井裏空間Ｄの空気振動を吸収できる。中空部Ｂは、例えば、上面板２と下面板３とを結合部材（折板９）で結合して一体化することにより構成される。【選択図】  図３ 
2005282321.tif 000002
【特許請求の範囲】
【請求項１】
少なくとも１つの中空部を設けるとともに、前記中空部を天井裏空間と連通させる開口部を設けたことを特徴とする床構造。
【請求項２】
前記中空部内に吸音材を設置したことを特徴とする請求項１に記載の床構造。
【請求項３】
少なくとも１本の中空部を有する梁部材と面材とから構成されることを特徴とする請求項１又は請求項２に記載の床構造。
【請求項４】
上面板と下面板とを結合部材で結合して一体化したことを特徴とする請求項１又は請求項２に記載の床構造。
【請求項５】
前記結合部材が型材であることを特徴とする請求項４記載の床構造。
【請求項６】
前記結合部材が折板であることを特徴とする請求項４に記載の床構造。
【請求項７】
前記下面板又は前記結合部材に前記開口部を設けたことを特徴とする請求項４から請求項７までの何れか一項に記載の床構造。
【請求項８】
上面板と型材又は折板とを結合した構成であることを特徴とする請求項１又は請求項２に記載の床構造。
【請求項９】
前記中空部の長手方向の任意の位置に仕切板を設けたことを特徴とする請求項１から請求項８までの何れか一項に記載の床構造。
【請求項１０】
前記仕切板に、前記中空部の断面積よりも小さな開口部を設けたことを特徴とする請求項９に記載の床構造。
【請求項１１】
前記中空部を複数有し、それぞれの中空部において仕切板の位置を異ならせたことを特徴とする請求項９に記載の床構造。
【請求項１２】
同一周波数を対象とする枝管共鳴器を構成する中空部に連通する前記開口部が、床の当該周波数での１波長の長さの中に少なくとも１つ以上位置していることを特徴とする、請求項１から請求項１１までの何れか一項に記載の床構造。
【請求項１３】
床の振動モードの腹の部分に相当する位置に前記開口部が形成されていることを特徴とする請求項１２に記載の床構造。
【発明の詳細な説明】
【技術分野】
【０００１】
本発明は、床衝撃音を緩和するための床構造の構成に関する。
【背景技術】
【０００２】
上下階に別々の世帯が居住するマンションやアパート等の集合住宅では、子供が走り回ったり飛び跳ねたり、スプーンなどの軽量物の落下や椅子の引き摺り等により階下に衝撃音が発生し、問題となる場合がある。
【０００３】
このような衝撃音を床衝撃音と呼ぶが、衝撃音の中でも特に、子供の飛び跳ねのように重量物が落下することによる衝撃音を重量床衝撃音と呼び、一方、スプーンなどの軽量物の落下により衝撃音は軽量床衝撃音と呼ぶことがある。軽量床衝撃音は床の表面にカーペットや畳などの比較的柔らかい材料を敷くことで低減できるものの、重量床衝撃音は、床だけでなく壁を含む構造が振動するので、対策は容易ではない。
【０００４】
重量床衝撃音を防止するためには、一般的に、厚さ１００〜２００ミリメートルのコンクリート板や発砲コンクリート板など、床の質量を増大させる方法が採用されている。しかし、このような重量構造を採用すると、床の重量を支持する壁や柱の剛性や強度を高める必要があり、建築構造全体の重量も膨大なものとなり、耐震性を確保するために壁や柱は更に強固なものとする必要が出てきてしまう。
【０００５】
そこで本願の発明者らは、重量床衝撃音発生時の建築構造内部での振動伝播経路を調査し、床の重量を増加させずとも重量床衝撃音を低減させる方法について、鋭意検討を進めた。その結果、床から天井への振動伝播経路には、〔１〕床振動−天井裏空気振動−天井振動と、〔２〕床振動−梁振動−天井吊部材振動−天井振動、〔３〕床振動−梁振動−壁振動とがあり、そのうち〔２〕〔３〕の固体伝播の影響が大きいことを突き止めた。このような調査結果に基づき、天井、壁の振動を低減するには、床と梁とを振動絶縁することが最も効果的であることを見出した。
【０００６】
しかし、床と梁とを振動絶縁するために発砲ウレタンやゴム、コイルバネ等の所謂バネ要素により床を梁の上に防振支持すると、床から梁に伝わる振動は確かに大幅に低減できるが、その代わりに床振動が増大し、前記〔１〕の空気伝播が増大してしまう。従って、せっかく床と梁との振動絶縁により天井や壁の〔２〕〔３〕固体伝播が低減できても、天井への〔１〕空気伝播が増大して、天井からの放射音を効果的に低減できなかった。
【０００７】
そこで、〔１〕の空気伝播を例えば共鳴器を利用して低減することが考えられる。共鳴器を使用した床衝撃音の吸音方法に関しては、例えば特許文献１、２に記載されたものがある。特許文献１は、床を支持する梁の間に跨って遮音装置を設置し、床と梁との間及び梁と遮音装置との間に振動絶縁材を介在させた構成を開示する。特許文献２は、壁内に配設された中空部を有する柱に開口部を設けることにより枝管型共鳴器を形成する構成を開示する。
【特許文献１】特開平８−３１９６８０号公報
【特許文献２】特開２００２−３４８９８５号公報
【発明の開示】
【発明が解決しようとする課題】
【０００８】
しかし、上記特許文献１のように床と梁との間および梁と遮音装置との間に振動絶縁材を介在させても、床から遮音装置に伝達される振動を完全に無くすことができない。従って、梁間に跨って設置された遮音装置において、開口容器が固定される基板が梁振動により増幅して、当該基板が新たな音圧放射面となって騒音をかえって増大させるおそれがある。また、上述のような集合住宅において梁の高さは現実的には２００ミリメートル程度であり、開口容器の容積Ｖは、大きくても概ね０．１×０．１×０．１＝１０−３立方メートル、開口部の直径ｄは０．０１〜０．０５メートル程度とせざるを得ない。これをｆ０＝（Ｃ／２π）・√（ｄ／Ｖ）の式に代入すると１７１〜３８３Ｈｚとなることから、重量床衝撃音で問題となる周波数４５〜９０Ｈｚの音を効果的に吸音することは困難である。
【０００９】
また、特許文献２のように壁内に配設された中空部を有する柱に開口部を設けることで枝管型共鳴器を形成する構成では、柱の高さは住戸の階高に依存して大きく変化させることができないため、共鳴器により吸音可能な周波数が限定されてしまう。また、界壁など隣接住戸間の耐火性能を確保する必要がある場合には、中空部を有する柱に設けた開口部内に火炎が侵入するのを防止するための特別な対策が必要となってしまう。
【課題を解決するための手段及び効果】
【００１０】
本発明の解決しようとする課題は以上の如くであり、次にこの課題を解決するための手段とその効果を説明する。
【００１１】
◆本発明の観点によれば、少なくとも１つの中空部を設けるとともに、前記中空部を天井裏空間と連通させる開口部を設けた、床構造が提供される。
【００１２】
これにより、中空部を枝管型共鳴器として作用させることができ、天井裏空間の空気振動を吸収できる。特に、重量床衝撃音で問題となる低い周波数での空気振動を吸収するのに好適である。
【００１３】
◆前記の床構造においては、前記中空部内に吸音材を設置することが好ましい。
【００１４】
これにより、前記中空部が吸音する周波数に幅を持たせることができる。また、共鳴器では吸音できない高い周波数での空気振動を吸音材により吸収することができる。
【００１５】
◆前記の床構造においては、少なくとも１本の中空部を有する梁部材と面材とから構成されることが好ましい。
【００１６】
これにより、梁部材の内部の中空部を利用することで、新たな部材を追加することなく枝管型共鳴器を形成することができる。従って、構造が簡単になる。
【００１７】
◆前記の床構造においては、上面板と下面板とを結合部材で結合して一体化することが好ましい。
【００１８】
これにより、上面板と下面板との間に中空部を簡単に構成できる。
【００１９】
◆前記の床構造においては、前記結合部材が型材であることが好ましい。
【００２０】
これにより、結合部材の断面形状と寸法を一様なものとできる。また、大量生産が容易であり、コストを低減できる。
【００２１】
◆前記の床構造においては、前記結合部材が折板であることが好ましい。
【００２２】
これにより、簡単に中空部を構成できる。
【００２３】
◆前記の床構造においては、前記下面板又は前記結合部材に前記開口部を設けることが好ましい。
【００２４】
これにより、簡単な構造で枝管型共鳴器を形成することができる。
【００２５】
◆前記の床構造においては、上面板と型材又は折板とを結合した構成であることが好ましい。
【００２６】
これにより、枝管型共鳴器として作用する枝管（中空部）を、簡素な構成で形成することができる。
【００２７】
◆前記の床構造においては、前記中空部の長手方向の任意の位置に仕切板を設けることが好ましい。
【００２８】
これにより、仕切板の位置の変更によって、共鳴管の周波数の設定が容易にできる。従って、吸音設計が容易である。
【００２９】
◆前記の床構造においては、前記仕切板に、前記中空部の断面積よりも小さな開口部を設けたことが好ましい。
【００３０】
これにより、枝管型と容積型の２つの共鳴器を組み合わせた、いわばハイブリッド型の共鳴器を形成させることができる。
【００３１】
◆前記の床構造においては、前記中空部を複数有し、それぞれの中空部において仕切板の位置を異ならせることが好ましい。
【００３２】
これにより、共鳴周波数の異なる複数の共鳴器を構成できる。従って、天井裏空間において異なる周波数で空気振動が同時に発生している場合でも、効果的に吸音できる。
【００３３】
◆前記の床構造においては、同一周波数を対象とする枝管共鳴器を構成する中空部に連通する前記開口部が、床の当該周波数での１波長の長さの中に少なくとも１つ以上位置していることが好ましい。
【００３４】
これにより、ムラのない合理的な吸音が可能になる。
【００３５】
◆前記の床構造においては、床の振動モードの腹の部分に相当する位置に前記開口部が形成されていることが好ましい。
【００３６】
これにより、天井裏の音圧の大きい部分に開口部が位置することとなるから、効率的な吸音が可能になる。
【発明を実施するための最良の形態】
【００３７】
次に、発明の実施の形態としての床構造の４つの例を、図１〜図４を参照して説明する。
【００３８】
図１には床構造の第１例が示され、この床構造Ａは、梁部材としての根太１と、根太１の上側に固定される面材としての上面板２から構成される。根太１は互いに平行に複数本並べて配置され、それぞれの根太１の内部には中空部Ｂが形成されている。なお、符号６は前記根太１とともに上記上面板２を支持するための枠材、符号８は根太１の下側に設けられる天井である。
【００３９】
根太１には開口部Ｃが形成されており、前記中空部Ｂは、この開口部Ｃを通じて、下側の天井裏空間Ｄ（前記天井８の上側の空間）と連通している。図１には開口部Ｃの形成態様が種々示されるが、この図１に示すように、開口部Ｃは根太１の下面に形成されていても良いし、根太１の側面に形成されていても良い。
【００４０】
上記構造により、根太１の内部の中空部Ｂを共鳴器として作用させることができる。なお、共鳴器には、容積型と枝管型（サイドブランチ型）の２つのタイプがあり、容積型は、中空部の形状が空間的に広がりを持ったタイプで、中空部の容積をＶ、開口部としての穴径をｄ、空気中の音速をＣとすると、共鳴周波数ｆ０＝（Ｃ／２π）・√（ｄ／Ｖ）で完全に吸音される。また、枝管型は、一端が開口し他端が閉じられた片端閉止音響管を前記中空部が形成するタイプであり、管の長さをＬとすると共鳴周波数ｆ０＝ｎＣ／４Ｌで完全に吸音される。ただし、ｎ＝１，３，５，・・・である。
【００４１】
枝管型の共鳴器を中空部Ｂが構成する場合、一般的な住宅における一部屋の寸法が概ね２．７ｍ〜４．５ｍであるとすると（これに限定されるものでもないが）、上記式に当てはめるとｎ×３４０／（４×４．５）≦ｆ０≦ｎ×３４０／（４×２．７）であるから、１９×ｎ≦ｆ０≦３１×ｎになる。ただし、ｎ＝１，３，５，・・・である。このように、上記中空部Ｂによって、特に重量床衝撃音で問題となる、天井裏空間Ｄにおける低い周波数での空気振動を吸収することができる。
【００４２】
また上記実施形態では、梁部材としての根太１を中空に構成し、その内部の中空部Ｂを共鳴器として作用させている。従って、共鳴作用を奏するための新たな部材を追加することなく、根太１に開口部Ｃを設けるだけで、枝管型共鳴器（片端閉止音響管）を形成することができる。
【００４３】
なお、前記中空部Ｂの内部には、グラスウールやポリウレタン等からなる吸音材４が設置されていることが好ましい。これにより、１つの中空部が吸音する周波数に幅を持たせることができる。また、共鳴器では吸音できない高い周波数の空気振動を吸音材４により吸収することができる。
【００４４】
また、上記中空部Ｂの内部に仕切板５を設け、この仕切板５によって区画された中空部Ｂのそれぞれが、上記開口部Ｃを介して天井裏空間Ｄと連通するようにしても良い。この構成は、以下の点で有利である。即ち、仕切板５の位置を変更することによって、音響管の長さ（上式における長さＬ）を任意に設定できる。従って、共鳴周波数を任意に調節でき、吸音設計が容易になる。
【００４５】
図２（第２例）には、根太１に開口部Ｃを設ける際の種々の例が示される。この図２に示すように、例えば、根太１の一端を塞ぎ板７で閉鎖するとともに、根太１の下面や側面に、矩形状の大きな開口部Ｃを形成しても良い。また、根太１の一端を斜めに切断し、結果として現れる斜状の矩形状開口を開口部Ｃとしても良い。
【００４６】
図３には床構造の別例（第３例）が示される。この床構造Ａ’は、一様の厚みの板をジグザグに折り曲げた形状の折板（結合部材）９を設け、その上面に上面板２を、その下面に下面板３を、それぞれ設置した構成となっている。この折板９は、平板を折り曲げて形成することのほか、例えば押出しによって形成された型材を採用することもできる。型材を使用することで、断面形状の寸法を一定とでき、また、大量生産が容易でコスト的にも有利である。
【００４７】
なお、図３の構成は、上面板２と下面板３とを、折板９によって結合して一体化させた構成ということができる。この構成では、上面板２と下面板３との間で、三角柱状の中空部Ｂが隣り合いながら複数並べて形成されることになる。そして、下面板３には開口部Ｃが形成されているため、上記中空部Ｂ（少なくとも、折板９と下面板３とで囲まれた中空部Ｂ）が枝管型共鳴器として作用し、上述の図１・図２の構成と同様の吸音効果を奏させることができる。
【００４８】
なお、図３においては、結合部材としての上記折板９に連通孔Ｅが設けられており、この連通孔Ｅを介して、互いに隣り合う中空部Ｂ同士が連通されている。具体的に言えば、折板９と上面板２との間に形成される中空部Ｂ１と、折板９と下面板３との間に形成される中空部Ｂ２とが、連通孔Ｅを介して連通している。これは、中空部Ｂ１・Ｂ２同士が繋がって、より長い長さの音響管が形成されることに相当する。従って、より低い周波数の空気振動を吸収することができる。あるいは、同じ周波数の空気振動を吸収する場合でも、コンパクトな共鳴器とできる。
【００４９】
なお、図３において下面板３を省略し、上面板２と折板９とを結合する構成としても良い。これによっても、簡素な構成で中空部Ｂを形成できる。この場合、開口部Ｃは折板９に形成することとすれば良い。
【００５０】
図４（第４例）には、折板９や下面板３に開口部Ｃを設ける際の種々の例が示される。この図４に示すように、例えば、折板９の一端（中空部Ｂの一端）を塞ぎ板７で閉鎖するとともに、下面板３や折板９に、矩形状の大きな開口部Ｃを形成しても良い。また、折板９の一端をそのまま開口部Ｃとすることのほか、折板９を斜めに切断し、結果として現れる斜状の開口を開口部Ｃとしても良い。
【００５１】
図４に示す例では、前記仕切板５に開口部Ｆを設けており、この開口部Ｆの断面積は、前記中空部Ｂの断面積よりも小さくしている。これにより、枝管型と容積型の２つの共鳴器を組み合わせた、いわばハイブリッド型の共鳴器を形成することも可能である。
【００５２】
上記床構造の吸音効果を確かめるべく、図５・図６に示すような実験を行った。図５・図６に示すように、複数本の梁２２を互いに平行に架設し、この梁２２の上に、前述の図３で示す床構造Ａ’を並べて設置した。なお、梁２２と床構造Ａ’との間には、防振のためのブロック状の発泡ウレタン２５を介在させた。床構造Ａ’の下面（前記下面板３）には、ほぼ円形の開口部Ｃを多数開口させて天井裏空間Ｄに連通させ、床構造Ａ’の内部に形成されている多数の中空部Ｂに枝管型共鳴器としての作用を営ませた。前記梁２２からは吊金具２３を介して天井下地材２４を吊下し、この天井下地材２４の下面に天井８を取り付けた。
【００５３】
なお、床構造Ａ’の素材としては、前記折板９は鋼製とし、上面板２は木質系の板材、下面板３は鋼板とした。また前記開口部Ｃは床の長手方向一側にズラしながら形成することとし、複数設けられる中空部Ｂの長さ（共鳴器の長さ）を互いに変化させるようにして、様々な周波数を吸収できる構成とした。なお、開口部Ｃの径は、折板９の山と山（谷と谷）に入る程度の大きさとした。
【００５４】
上記構成において、床構造Ａ’の上側で、床（上面板２）にタイヤ２１を適宜の高さから落下させ、重量床衝撃音を発生させた。そして、タイヤ落下位置の近傍（図６のＰ点）における床振動と、天井裏の中央近傍（Ｑ点）における空気振動と、天井の中央近傍（Ｒ点）の振動と、をそれぞれ計測し、その周波数分布を調べた。
【００５５】
図７にその実験結果をグラフとして示す。なお、空気振動と天井振動においては、開口部Ｃを下面板３に設けた場合と全く設けない場合の２つの場合で実験を行い、両方の結果を示してある。この図７を参照すれば、開口部Ｃを設けた場合の方が、設けない場合に比べ、幅広い周波数にわたって空気振動及び天井振動が低減されることが判る。
【００５６】
なお、図８には、床構造Ａ’を梁２２に対して防振支持しない場合（即ち、前記発泡ウレタン２５を取り除き、床構造Ａ’を梁２２に直接支持させた場合）について、同様の実験を行った結果を示している。この図８をみても、開口部Ｃを設けた場合の方が、設けない場合に比べ、幅広い周波数にわたって空気振動及び天井振動が低減されていることが判る。
【００５７】
次に、前記開口部Ｃの開口率について、図９を参照しながら説明する。一般に枝管型共鳴器の場合、開口は騒音源と同じ大きさとすることが、より効率的な吸音効果が発揮され、望ましいとされている。例えば配管に枝管型共鳴器を取り付ける場合は、その配管とほぼ同じ直径の枝管を取り付けるのが良いとされる。
【００５８】
この観点からみると、本発明の場合は、天井裏空間Ｄにおける空気振動は、床裏面（全体）を加振面として発生している。このため、枝管型共鳴器の開口部面積は、大きければ大きいほど良く、理想的には床面全体が開口しているのが最も望ましい。開口部面積が大きければ、吸音効率を増加させ得るとともに、複数の共鳴器の共鳴周波数を設定し易くなる。更には開口部面積を拡げることで、１種類の共鳴器（１つの開口と１つの枝管）で吸収できる周波数の幅を広げることができる。即ち、枝管型共鳴器では通常、共鳴周波数を中心とした極めて狭い周波数範囲に対して効果があるものであり、吸音効果のピークは鋭いものである（図９（ａ）のグラフ参照）。しかしながら開口の面積を大きくすることで、吸音効果曲線の鋭いピークを和らげ、共鳴周波数を中心としたある程度広い幅の周波数に対して吸音効果を持たせることができる（図９（ｂ）のグラフ参照）。
【００５９】
以上のことから、加振面である床裏側の面積に対する開口部の面積の割合（開口率）は、大きくすることが望ましい。即ち、この開口率が小さいと、１種類の共鳴器で吸収できる周波数の幅は設定周波数のピンポイントにしか効かず、空気振動の周波数が僅かでも共鳴管の設定周波数とズレると、空気振動を殆ど吸収しない事態となってしまう。一方、開口率を大きくしすぎると、音響管としての有効長さ（図９に図示の長さＬ）を確保することが困難となる。また、開口率を大きくしすぎると、床構造の下面板３や折板９、あるいは根太１等の強度が低下し、本来の構造部材としての役割を果たすことができなくなる。
【００６０】
以上より、開口率は、吸音が望まれる騒音の周波数とその吸音量や、床として必要とされる強度等、種々の事項を考慮して定めれば良い。なお、開口率は、通常は数％〜数十％程度であり、大きくとも１０％〜３０％であると想定される。
【００６１】
図１０〜図１２には、図３に示す床構造において、吸音のための開口部Ｃの設置例が５つ示される。（１）〜（５）の各図は何れも下側から見た図であり、図でそれぞれの開口部Ｃの脇に付されている数値は、その開口部Ｃに接続される中空部Ｂとしての枝管共鳴器の設定周波数を単位Ｈｚで示したものである。
【００６２】
図１０の（１）に示す例では、前記仕切板５の位置を異ならせて中空部Ｂの長短を異ならせ（枝管の長さを異ならせ）、それぞれの中空部Ｂを様々な設定周波数の枝管共鳴器として作用させるようにしている。この結果、全体としては、広い幅の周波数範囲で吸音効果が得られる（４０Ｈｚ〜１４３Ｈｚ）。なお、この図１０の（１）に示す例での吸音効果の周波数分布が、図１３の上側のグラフに示される。
【００６３】
図１０の（２）に示す例では、４０Ｈｚ〜６５Ｈｚの設定周波数の枝管共鳴器を２つずつ設置したものである。この結果、４０Ｈｚ〜６５Ｈｚといった低い音に対して良好な吸音効果が得られる。
【００６４】
なお、図１０の（１）、（２）の構成は、下側の中空部Ｂ（即ち、折板９と下面板３によって囲まれて形成される中空部Ｂ）のみを共鳴器として用いている。一方、図１１の（３）に示す例では、図１０の（２）と同様に４０Ｈｚ〜６５Ｈｚの範囲の周波数の吸音を狙ったものであるが、折板９に連通孔Ｅ（図３参照）を形成して、隣り合う中空部Ｂ・Ｂ同士を連通孔Ｅを介して接続し、折返し状の共鳴器を構成している。即ち、上側の中空部Ｂ（折板９と上面板２によって囲まれて形成される中空部Ｂ）も、共鳴器として用いる構成となっている。この結果、共鳴器の設置長さをほぼ半分とできるため、図１０の（２）の構成に比べて２倍の数の共鳴器を設置でき、吸音効果を高めることができる。
【００６５】
図１１の（４）に示す例は前記（３）の構成の変形例であり、開口部Ｃや連通孔Ｅの開口面積を大きくして（前述の開口率を大きくして）、周波数の広い幅での吸音効果を狙ったものである。
【００６６】
なお、図１３には、図１１の（４）の構成と図１０の（１）の構成との吸音効果の比較がグラフ図で示される。このグラフで明らかであるとおり、（４）のように開口率を大きくすると、周波数の変化に対しても安定した吸音効果を発揮できる。
【００６７】
また、図１２の（５）に示す例は図１１の（３）の変形例であり、設定周波数が高い枝管共鳴器を多めに設置するレイアウトである。
【００６８】
次に、前記開口部Ｃの位置の設定方法について図１４を参照して説明する。
本発明で想定している騒音は床の振動によって発生するものであるから、騒音の大小は床の振動の形状によって定まる。ここで床は固有振動数で振動するため、床の振動の形状は、その振動モードとなる。従って、当該振動モードに基づいて開口部Ｃの位置とその数を設定する必要がある。
【００６９】
図１４（ａ）・（ｂ）には、床の振動の例とそれに伴う天井裏の音圧を模式的に示す。図１４（ａ）のように床がその中央に単一の節を有するモードで振動する場合、天井裏の騒音も床の振動に応じて、中央では音圧が小さくなり、一端から１／４及び３／４の箇所で音圧が最も大きくなる。従って、そのように音圧が大きくなる部分（モードの腹の部分）に前記開口部Ｃの位置を設定すれば、より効率的に吸音でき、好ましい。具体的には、開口部Ｃを単一で設けるときは、床の一端から１／４又は３／４の箇所に設けることが好ましい。また好ましくは、図１４（ａ）に示すように、一端から１／４及び３／４の２箇所に開口部Ｃを設けるのが良い。勿論、この開口部Ｃに接続される共鳴器の設定周波数は、床の上記モードにおける振動数に一致させる。
【００７０】
図１４（ｂ）のように床が複数の節を有するモードで振動する場合、振動の腹の部分が多数ある。この場合において開口部Ｃを単一で設けるときは、その振動の腹の位置（複数あるうちの何れか）に設けることが好ましい。図１４（ｂ）では、床は、その一端から１／４、１／２、３／４の部分に節を有するモードで振動している。従って、開口部Ｃは、一端から１／８、３／８、５／８、７／８の何れかの箇所に設けると好ましい。
【００７１】
更に好ましくは、１波長ごとにその腹の部分に開口部Ｃを１つ設けると良い（例えば、一端から１／８と５／８の部分に開口部Ｃをそれぞれ設ける）。更に好ましくは、半波長ごとにその腹の部分に開口部Ｃを１つ設けるのが良い（即ち、図１４（ｂ）に示すように、１／８、３／８、５／８、７／８のすべての箇所に開口部Ｃを設ける）。
【００７２】
要は、同一周波数を対象とする中空部の開口部Ｃが、床の当該周波数での１波長の長さλの中に、少なくとも１つ以上位置しているのが良い。また、その開口部Ｃは、床の振動モードにおける腹の部分に相当する位置に設けられているのが好ましい。
【００７３】
以上のように本発明は、天井裏空間に生じる空気振動を共鳴器としての中空部で効果的に吸収することができるので、床振動によって発生する空気伝播を大幅に低減できる。また、同時に、前述の発泡ウレタン２５やゴムやコイルバネ等で床を防振支持することとすれば、空気伝播と固体伝播とを同時に低減することができる。
【００７４】
更には、柱に開口部を設ける構成（上記特許文献２）に比較して、共鳴器の長さが大きく制限されることがない。従って、より広い周波数範囲で吸音性能を発揮させることができる。
【００７５】
なお、本発明では開口部Ｃは床構造の上面側に設けないため、万一火災が発生しても、火炎が開口部Ｃを介して床構造の上へ伝播するおそれはない。なお、床構造に耐火性能が要求される場合には、床構造の上面板２側に耐火皮膜を設けることとすれば良い。
【図面の簡単な説明】
【００７６】
【図１】本発明の一実施形態に係る床構造の第１例を示す一部断面斜視図。
【図２】同じく第２例を示す一部断面斜視図。
【図３】第３例を示す一部断面斜視図。
【図４】第４例を示す一部断面斜視図。
【図５】振動計測実験の様子を示す一部断面斜視図。
【図６】同じく模式断面図。
【図７】振動計測実験の結果を示すグラフ図（床を防振支持した場合）。
【図８】振動計測実験の結果を示すグラフ図（床を防振支持しない場合）。
【図９】開口率と吸音効果の関係を示す説明図。
【図１０】床構造の開口部の配置及び枝管共鳴器の設定周波数の例を示す下面図（（１）、（２））。
【図１１】床構造の開口部の配置及び枝管共鳴器の設定周波数の例を示す下面図（（３）、（４））。
【図１２】床構造の開口部の配置及び枝管共鳴器の設定周波数の例を示す下面図（（５））。
【図１３】床構造の例（１）、（４）での吸音効果の比較を示すグラフ図。
【図１４】床の振動モードとの関係での開口部の位置の好ましい例を説明する模式図。
【符号の説明】
【００７７】
Ａ  床構造
Ｂ  中空部
Ｃ  開口部
Ｄ  天井裏空間
１  根太（梁部材）
２  上面板（床板、面材）
３  下面板
８  天井
【図１】
2005282321.tif 000003
【図２】
2005282321.tif 000004
【図３】
2005282321.tif 000005
【図４】
2005282321.tif 000006
【図５】
2005282321.tif 000007
【図６】
2005282321.tif 000008
【図７】
2005282321.tif 000009
【図８】
2005282321.tif 000010
【図９】
2005282321.tif 000011
【図１０】
2005282321.tif 000012
【図１１】
2005282321.tif 000013
【図１２】
2005282321.tif 000014
【図１３】
2005282321.tif 000015
【図１４】
2005282321.tif 000016